(57)【要約】【課題】フ゛ロート゛ハ゛ント゛接続サーヒ゛スに関する情報を簡単に検索できる環境を実現できるフ゛ロート゛ハ゛ント゛接続サーヒ゛ス検索装置を、提供する。【解決手段】フ゛ロート゛ハ゛ント゛接続サーヒ゛ス検索装置は、電話番号により、利用が可能が否かを判別可能な第１種フ゛ロート゛ハ゛ント゛接続サーヒ゛スの内容を表す複数のサーヒ゛ス内容情報と、住所により、利用が可能が否かを判別可能な第２種フ゛ロート゛ハ゛ント゛接続サーヒ゛スの内容を表す複数のサーヒ゛ス内容情報とを記憶したサーヒ゛ス内容情報テ゛ータヘ゛ース１２を備えると共に、郵便番号と電話番号とを含む検索依頼を受け付けて、サーヒ゛ス内容情報テ゛ータヘ゛ース１２に記憶されているサーヒ゛ス内容情報の中から、当該電話番号を有する電話より利用可能な第１種フ゛ロート゛ハ゛ント゛接続サーヒ゛スに関するサーヒ゛ス内容情報を検索すると共に、当該郵便番号にて特定される住所より利用可能な第２種フ゛ロート゛ハ゛ント゛接続サーヒ゛スに関するサーヒ゛ス内容情報を検索し、検索結果を検索依頼に対する応答として出力する機能機能を有する。【選択図】　図１
2004094462.tif 000002
【特許請求の範囲】
【請求項１】
ブロードバンド接続サービスに関する情報を検索するためのブロードバンド接続サービス検索装置であって、
電話番号により、その電話番号を有する電話からの利用が可能が否かを判別可能なブロードバンド接続サービスである第１種ブロードバンド接続サービスの内容を表す複数のサービス内容情報と、住所により、その住所からの利用が可能が否かを判別可能なブロードバンド接続サービスである第２種ブロードバンド接続サービスの内容を表す複数のサービス内容情報とを記憶したサービス内容情報記憶手段と、
住所を特定可能な情報である住所相当情報と電話番号とを含む検索依頼を受け付け、前記サービス内容情報記憶手段に記憶されているサービス内容情報の中から、その検索依頼に含まれる電話番号を有する電話より利用可能な前記第１種ブロードバンド接続サービスに関するサービス内容情報を検索すると共に、その検索依頼に含まれる住所相当情報にて特定される住所より利用可能な前記第２種ブロードバンド接続サービスに関するサービス内容情報を検索し、その検索結果を前記検索依頼に対する応答として出力する検索依頼応答手段
とを、備えることを特徴とするブロードバンド接続サービス検索装置。
【請求項２】
前記検索依頼応答手段が、
電話番号と住所相当情報と検索条件情報とを含む検索依頼を受け付け、前記サービス内容情報記憶手段に記憶されている，その検索依頼に含まれる検索条件情報にて示される条件を満たすサービス内容情報の中から、その検索依頼に含まれる電話番号を有する電話より利用可能な前記第１種ブロードバンド接続サービスに関するサービス内容情報を検索すると共に、その検索依頼に含まれる住所相当情報にて特定される住所より利用可能な前記第２種ブロードバンド接続サービスに関するサービス内容情報を検索する手段である
ことを特徴とする請求項１記載のブロードバンド接続サービス検索装置。
【請求項３】
複数のメンバのそれぞれに対して、少なくとも、認証用情報と電話番号と住所相当情報とを記憶した認証用情報等記憶手段と、
前記認証用情報等記憶手段に記憶された情報に基づき、サービス内容情報の検索を希望するメンバが操作しているコンピュータに、そのメンバが検索条件情報のみの入力により前記検索依頼が前記検索依頼応答手段により受け付けられることになるＷｅｂページである検索条件入力ページを表示させる検索条件入力ページ表示制御手段とを、さらに、備える
ことを特徴とする請求項１又は請求項２記載のブロードバンド接続サービス検索装置。
【請求項４】
検索条件入力ページ表示制御手段によって或るメンバのコンピュータに表示される検索条件入力ページが、そのメンバに対して前記認証用情報等記憶手段に記憶されている電話番号と住所相当情報とが示されるＷｅｂページであるとともに、それらの変更を前記メンバが行うことができ、かつ、それらの変更が前記検索依頼応答手段により受け付けられる検索依頼の内容に反映されるＷｅｂページである
ことを特徴とする請求項３記載のブロードバンド接続サービス検索装置。
【請求項５】
前記サービス内容情報記憶手段が、前記第１種ブロードバンド接続サービスの内容を表す複数のサービス内容情報として、ｘＤＳＬを利用するブロードバンド接続サービスの内容を表す複数のサービス内容情報を記憶し、前記第２種ブロードバンド接続サービスの内容を表す複数のサービス内容情報として、光ファイバを利用するブロードバンド接続サービス，及び，ケーブルテレビシステムを利用するブロードバンド接続サービスの内容を表す複数のサービス内容情報を記憶した手段である
ことを特徴とする請求項１乃至請求項４のいずれかに記載のブロードバンド接続サービス検索装置。
【発明の詳細な説明】
【０００１】
【発明の属する技術分野】
本発明は、ブロードバンド接続サービスに関する情報を検索するためのブロードバンド接続サービス検索装置に、関する
【０００２】
【従来の技術】
周知のように、近年、高速なデータ通信が行える，一般にブロードバンド接続サービスと呼ばれているサービスが、さまざまな事業者によって提供されるようになっている。
【０００３】
そして、各事業者によって提供されているブロードバンド接続サービスは、利用可能な地域が限定されたものであるので、インターネット上には、ブロードバンド接続サービスの利用希望者が、利用可能なブロードバンド接続サービスを検索できるサイトも存在している。具体的には、アクセス者が、自宅の電話番号を入力することにより、図５に示したような検索結果ページを得ることが出来るサイトが存在している。なお、この図及び以下で説明に用いる各図に示されているサービス名、事業者名は、各事業者の登録商標または商標である。
【０００４】
【発明が解決しようとする課題】
ただし、そのような既存のサイトは、特定の回線種別のブロードバンド接続サービス（ｘＤＳＬを利用するブロードバンド接続サービスのみ、ＦＴＴＨを利用するブロードバンド接続サービスのみ等）だけしか検索できないものとなっている。このため、ブロードバンド接続サービスの利用希望者は、利用する（契約する）ブロードバンド接続サービスを決定する際、例えば、ｘＤＳＬを利用するブロードバンド接続サービスを検索した後、ＦＴＴＨを利用するブロードバンド接続サービスを検索するといった煩雑な作業を行わなければならなかった。
【０００５】
そこで、本発明の課題は、ブロードバンド接続サービスに関する情報を、ブロードバンド接続サービスの利用希望者が簡単に検索できる環境を実現できるブロードバンド接続サービス検索装置を、提供することにある。
【０００６】
【課題を解決するための手段】
上記課題を解決するために、本発明のブロードバンド接続サービス検索装置は、電話番号により、その電話番号を有する電話からの利用が可能が否かを判別可能なブロードバンド接続サービスである第１種ブロードバンド接続サービスの内容を表す複数のサービス内容情報と、住所により、その住所からの利用が可能が否かを判別可能なブロードバンド接続サービスである第２種ブロードバンド接続サービスの内容を表す複数のサービス内容情報とを記憶したサービス内容情報記憶手段と、住所を特定可能な情報である住所相当情報と電話番号とを含む検索依頼を受け付け、サービス内容情報記憶手段に記憶されているサービス内容情報の中から、その検索依頼に含まれる電話番号を有する電話より利用可能な第１種ブロードバンド接続サービスに関するサービス内容情報を検索すると共に、その検索依頼に含まれる住所相当情報にて特定される住所より利用可能な第２種ブロードバンド接続サービスに関するサービス内容情報を検索し、その検索結果を検索依頼に対する応答として出力する検索依頼応答手段とを、備える。
【０００７】
すなわち、本発明のブロードバンド接続サービス検索装置は、検索に必要とされるキー情報が異なる２種のブロードバンド接続サービスの検索を同時に行える構成を、有する。従って、このブロードバンド接続サービス検索装置を用いれば、ブロードバンド接続サービスに関する情報を、ブロードバンド接続サービスの利用希望者が簡単に検索できる環境を実現できることになる。
【０００８】
本発明のブロードバンド接続サービス検索装置を実現するに際しては、ブロードバンド接続サービスの利用希望者が、検索されるブロードバンド接続サービス（サービス内容情報）を、費用等で限定できるようにするために、検索依頼応答手段として、電話番号と住所相当情報と検索条件情報とを含む検索依頼を受け付け、サービス内容情報記憶手段に記憶されている，その検索依頼に含まれる検索条件情報にて示される条件を満たすサービス内容情報の中から、その検索依頼に含まれる電話番号を有する電話より利用可能な第１種ブロードバンド接続サービスに関するサービス内容情報を検索すると共に、その検索依頼に含まれる住所相当情報にて特定される住所より利用可能な第２種ブロードバンド接続サービスに関するサービス内容情報を検索する手段を採用しておくとが望ましい。
【０００９】
また、本発明のブロードバンド接続サービス検索装置を、複数のメンバのそれぞれに対して、少なくとも、認証用情報と電話番号と住所相当情報とを記憶した認証用情報等記憶手段と、認証用情報等記憶手段に記憶された情報に基づき、サービス内容情報の検索を希望するメンバが操作しているコンピュータに、そのメンバが検索条件情報のみの入力により検索依頼が検索依頼応答手段により受け付けられることになるＷｅｂページである検索条件入力ページを表示させる検索条件入力ページ表示制御手段とを、付加したものとして構成しておいても良い。
【００１０】
また、このようにブロードバンド接続サービス検索装置を構成する際いは、検索条件入力ページ表示制御手段によって或るメンバのコンピュータに表示される検索条件入力ページが、そのメンバに対して認証用情報等記憶手段に記憶されている電話番号と住所相当情報とが示されるＷｅｂページであるとともに、それらの変更をメンバが行うことができ、かつ、それらの変更が検索依頼応答手段により受け付けられる検索依頼の内容に反映されるＷｅｂページとなるようにしておくことが出来る。
【００１１】
また、本発明のブロードバンド接続サービス検索装置を実現する際には、サービス内容情報記憶手段が、第１種ブロードバンド接続サービスの内容を表す複数のサービス内容情報として、ｘＤＳＬを利用するブロードバンド接続サービスの内容を表す複数のサービス内容情報を記憶し、第２種ブロードバンド接続サービスの内容を表す複数のサービス内容情報として、光ファイバを利用するブロードバンド接続サービス，及び，ケーブルテレビシステムを利用するブロードバンド接続サービスの内容を表す複数のサービス内容情報を記憶した手段となるようにしておくことが出来る。
【００１２】
【発明の実施の形態】
以下、本発明の実施の形態を、図面を参照して詳細に説明する。
【００１３】
図１に示したように、本実施形態に係るブロードバンド接続サービス検索装置は、メンバ情報データベース１１及びサービス内容情報データベース１２を備えていると共に、Ｗｅｂページ提供処理、検索処理、サービス内容情報更新処理及び検索要求応答処理が実行可能なように構成された装置である。なお、このブロードバンド接続サービス検索装置は、コンピュータシステムに各種のプログラム及びデータをインストールした装置であるので、本ブロードバンド接続サービス検索装置のハードウェア構成の詳細説明は、省略することにする。
【００１４】
メンバ情報データベース１１は、複数のメンバのそれぞれについて、メンバＩＤ、パスワード、名前、住所、郵便番号、電話番号、性別、年齢等が記憶されているデータベースである。ここで、メンバとは、後述するメンバ用検索サービス及び他の各種のサービスを受けられる資格を、名前、住所等の登録手続を含む所定の手続を行うことにより、得た者のことである。
【００１５】
サービス内容情報データベース１２は、ｘＤＳＬ、ＦＴＴＨ或いはケーブルテレビシステムを利用した各種のブロードバンド接続サービスのそれぞれについて、サービス名称、事業者名称、上り／下り回線速度、費用、開局状況情報等からなるサービス内容情報を、記憶していると共に、ｘＤＳＬを利用する各ブロードバンド接続サービスが、どのような電話番号を有する電話から利用可能なものであるかを特定可能な情報と、ＦＴＴＨ或いはケーブルテレビを利用する各ブロードバンド接続サービスが、どのような住所から利用可能なものであるかを特定可能な情報とを、記憶したデータベースである。
【００１６】
そして、ブロードバンド接続サービス検索装置が実行するサービス内容情報更新処理は、ブロードバンド接続サービスを提供している回線事業者等が運用している何台かのサーバ（図には、“回線事業者サーバ”という名称のサーバを１台のみ示してある）に定期的にアクセスして、このサービス内容情報データベース１２内のサービス内容情報を最新の内容のものに更新するための処理となっている。
【００１７】
また、検索処理は、Ｗｅｂページ提供処理或いは検索要求応答処理により出された、郵便番号と電話番号と検索条件情報とが指定された検索依頼を受け付けて、サービス内容情報データベース１２に記憶されている，その検索依頼に含まれる検索条件情報にて示される条件を満たすサービス内容情報の中から、その検索依頼に含まれる電話番号を有する電話から利用可能なブロードバンド接続サービスに関するサービス内容情報を検索すると共に、その検索依頼に含まれる郵便番号にて特定される住所から利用可能なブロードバンド接続サービスに関するサービス情報を検索し、与えられた検索依頼に対する応答として、それらの検索結果を出力する処理となっている。
【００１８】
そして、Ｗｅｂページ提供処理は、図２〜図４に示したようなＷｅｂページを、ＰＣを利用してアクセスしてきた者（メンバ及び非メンバ）に提供するための処理となっている。
【００１９】
具体的には、所定のＨＴＴＰリクエスト（以下、非メンバ用検索条件入力ページリクエストと表記する）が送信されてきた場合、ブロードバンド接続サービス検索装置では、Ｗｅｂページ提供処理内の一処理として、図２に示したような検索条件入力ページ（ただし、各ボックス内にデータが示されていないもの）を、当該ＨＴＴＰリクエストを送信したＰＣ（以下、通信対象ＰＣと表記する）に表示させるための処理が行われる。なお、詳細説明は省略するが、この検索条件入力ページは、［検索オプション］ボタンを押下することにより、検索希望者が、回線事業者を指定することなどが行えるＷｅｂページであるとともに、［検索実行］ボタンを押下すると、検索希望者が設定した全ての条件を表す情報を含むＨＴＴＰリクエスト（以下、検索依頼リクエストと表記する）が送信されることになるＷｅｂページとなっている。Ｗｅｂページ提供処理を実行している
【００２０】
また、非メンバ用検索条件入力ページリクエストとは異なる所定のＨＴＴＰリクエスト（以下、メンバ用検索条件入力ページリクエストと表記する）を受信した場合、ブロードバンド接続サービス検索装置では、Ｗｅｂページ提供処理内の一処理として、メンバＩＤ及びパスワードを入力することが出来るＷｅｂページを、通信対象ＰＣに表示させるための処理が行われる。そして、そのＷｅｂページに入力されたメンバＩＤ及びパスワードを含むＨＴＴＰリクエストが受信された場合には、メンバ情報データベース１１を参照して、メンバＩＤ及びパスワードが正当なものであることを確認した上で、メンバ情報データベース１１から、当該メンバＩＤ及びパスワードに対応づけられている電話番号及び郵便番号を読み出し、それらの情報を設定した検索条件入力ページ（すなわち、電話番号、郵便番号の入力が不要な検索条件入力ページ；図２参照）を、通信対象ＰＣに表示させるための処理が行われる。
【００２１】
そして、検索依頼リクエストが受信された場合には、その検索依頼リクエストに含まれる各種情報を含めた検索依頼が検索処理に対して出される。その後、Ｗｅｂページ提供処理の一処理として、その検索依頼を受けた検索処理が出力する情報に基づき、図３或いは図４に示したような検索結果ページ、すなわち、検索希望者が指定した条件を満たすブロードバンド接続サービスに関する情報がリスト表示されるＷｅｂページである検索結果ページをＷｅｂブラウザに表示させるためのＨＴＭＬデータを作成して通信対象ＰＣに返送する処理が、行われる。
【００２２】
最後に、ブロードバンド接続サービス検索装置が実行する検索要求応答処理の内容を簡単に説明しておく。この検索要求応答処理は、上記したＷｅｂページ提供処理とほぼ同内容の処理を、テキストデータを返送する形で実行する処理となっている。すなわち、この検索要求応答処理を実行する機能は、他のＷｅｂサーバが、独自のデザインのＷｅｂページにて検索結果を検索希望者に提供すること等が行えるようにするために、ブロードバンド接続サービス検索装置に実装された機能となっている。
【００２３】
以上、説明したように、本実施形態に係るブロードバンド接続サービス検索装置は、検索に必要とされるキー情報が異なる２種のブロードバンド接続サービス（ｘＤＳＬ系のブロードバンド接続サービスとその他のブロードバンド接続サービス）の検索を同時に行える構成を、有するので、本ブロードバンド接続サービス検索装置を用いれば、ブロードバンド接続サービスに関する情報を、ブロードバンド接続サービスの利用希望者が簡単に検索できる環境を実現できることになる。
【００２４】
なお、上記したブロードバンド接続サービス検索装置は、検索希望者（非メンバ）に郵便番号を入力させる装置であったが、ブロードバンド接続サービス検索装置を、検索希望者に住所を入力させる装置として構成しても良い。また、上記ブロードバンド接続サービス検索装置相当の装置（システム）を、複数のコンピュータを組み合わせて構築しても良いことや、ブロードバンド接続サービス検索装置によりアクセス者に提供されるＷｅｂページの構成（デザイン）が上記したものとは異なっても良いことなどは、当然である。
【００２５】
【発明の効果】
本発明のブロードバンド接続サービス検索装置を用いれば、ブロードバンド接続サービスに関する情報を、ブロードバンド接続サービスの利用希望者が簡単に検索できる環境を、実現できることになる。
【図面の簡単な説明】
【図１】本発明の一実施形態に係るブロードバンド接続サービス検索装置の構成、使用形態の説明図である。
【図２】実施形態に係るブロードバンド接続サービス検索装置がアクセス者に提供する検索条件入力ページの説明図である。
【図３】実施形態に係るブロードバンド接続サービス検索装置がアクセス者に提供する検索結果ページの説明図である。
【図４】実施形態に係るブロードバンド接続サービス検索装置がアクセス者に提供する検索結果ページの説明図である。
【図５】既存のサイト（Ｗｅｂサーバ）により提供されている検索結果ページの説明図である。
【符号の説明】
１１　メンバ情報データベース
１２　サービス内容情報データベース
【図１】
2004094462.tif 000003
【図２】
2004094462.tif 000004
【図３】
2004094462.tif 000005
【図４】
2004094462.tif 000006
【図５】
2004094462.tif 000007